(57)【要約】【課題】施術対象箇所が凹凸を有する顔等であっても、薬液を含浸する部分を施術対象箇所の皮膚に確実に接触させることができ、これにより、イオン導入法による施術を施術対象箇所全体に短時間で効果的に行う美容装置を提供する。【解決手段】イオン導入法により薬液の有効成分を施術対象箇所の皮膚の深部に浸透させるための美容装置は、使用時に顔の皮膚に接触して配置される施術部材５を備える。この施術部材５は、電極２を有し、薬液に電流を流すための導電体５０と、導電体５０の一側に、薬液を含浸するため、電極２に対応する部分を除く部分の少なくとも一部が発泡性の低反発素材からなる薬液含浸部５１とを備えている。【選択図】図１
2013081606.tif 000002
【特許請求の範囲】
【請求項１】
イオン導入法により薬液の有効成分を施術対象箇所の皮膚の深部に浸透させるための美容装置において、
使用時に上記皮膚に接触して配置される少なくとも１つの施術部材を備え、
上記施術部材は、
第１の電極を有し、上記薬液に電流を流すための導電体と、
上記薬液を含浸するために上記導電体の第１の側に位置し、上記第１の電極に対応する部分を除く部分の少なくとも一部が発泡性の低反発素材からなる薬液含浸部と
を備えたことを特徴とする美容装置。
【請求項２】
請求項１に記載の美容装置において、
上記少なくとも１つの施術部材は、顔全体に施術を行うための第１の施術部材を含んでいることを特徴とする美容装置。
【請求項３】
請求項２に記載の美容装置において、
上記第１の施術部材における薬液含浸部は、上記発泡性の低反発素材が、少なくとも顔の凹凸部分またはその周辺に対応する箇所に、局所的に設けられていることを特徴とする美容装置。
【請求項４】
請求項２または３に記載の美容装置において、
上記少なくとも１つの施術部材は、さらに、顔の一部分のみに施術を行うための１種類以上の第２の施術部材を含み、
上記第１の施術部材と上記第２の施術部材とを代替的に使用可能としたことを特徴とする美容装置。
【請求項５】
請求項２から４までのいずれか１に記載の美容装置において、
上記第１の施術部材は、上記導電体の上記第１の側とは反対の第２の側に、剛性を有するカバー部を備えたことを特徴とする美容装置。
【請求項６】
請求項５に記載の美容装置において、
上記第１の施術部材は、上記カバー部の上記導電体とは反対側に、ある面に対して上記カバー部を支持する支持部を備えたことを特徴とする美容装置。
【請求項７】
請求項６に記載の美容装置において、
上記支持部が設置される上記面に対する上記カバー部の角度が調整可能となるよう、上記支持部の高さが変更可能であることを特徴とする美容装置。
【請求項８】
請求項５から７までのいずれか１に記載の美容装置において、
上記第１の施術部材は、上記カバー部の上記導電体と反対側に、クッション性を有する部材を備えたことを特徴とする美容装置。
【請求項９】
請求項２から８までのいずれか１に記載の美容装置において、
上記第１の施術部材は、顔に接触しない面に、上記第１の電極の対極の第２の電極を備えたことを特徴とする美容装置。
【請求項１０】
請求項１から９までの何れか１に記載の美容装置において、
上記薬液含浸部は、皮膚に近い側にあって吸水性がある低反発素材と、皮膚から遠い側にあって防水処理を施された低反発素材とを備えていることを特徴とする美容装置。
【請求項１１】
請求項６から９までの何れか１に記載の美容装置において、
上記薬液含浸部は、皮膚に近い側にあって吸水性がある低反発素材と、皮膚から遠い側にあって防水処理を施された高反発素材とを備えていることを特徴とする美容装置。
【発明の詳細な説明】
【技術分野】
【０００１】
本発明は、イオン導入法により、例えば化粧水等の水溶液（以下、「薬液」と言う。）の有効成分を顔等の施術対象箇所の皮膚の深部に浸透させるための美容装置に関する。
【背景技術】
【０００２】
イオン導入法は、人体に電流が流れることを利用した美容方法の一種で、薬液を皮膚表面に塗布し、陽極(＋極)と陰極(−極)のいずれか一方の電極導子を上記水溶液に接触させるとともに、他方の電極導子を離間させた位置の皮膚(例えば手指)に接触させ、両電極導子間に微弱な電流(例えば数ｍAの直流)を数分間流すようにして、薬液を皮膚の深部にまで浸透させるものである。イオン導入法は、医学的にも効果が認められている美容方法である。
【０００３】
このようなイオン導入法を実現する従来の美容装置として、特許文献１に示すように、金・銀・カーボン等の導電体を不織布・紙・コットン等から成る薬液（薬剤）含浸シートに接着、溶着、圧着等の方法で張り付け、それを顔に密着させる構造のものが知られている。
【０００４】
この様な構造の場合、電極が確実に顔に接触もしくは導通しているかが不確実である。また、顔には凹凸があり人それぞれその凹凸具合が異なる。その凹凸具合によっては薬液含侵シート単体や導電体と接触した薬液含侵シートが顔から浮いていたり、接触していない部分が発生していたりする。この様な場合、接触していない部分の施術をあきらめるか、別の装置を使用して接触していない部分をさらに施術する必要がある。
【０００５】
また、特許文献２に示すように、薬液入りの容器とイオン導入装置部分（電気回路・電池等）を一体型に組み込んで、上記容器から薬液を含浸させるスポンジ様の薬液塗布部をイオン導入器の先端に設け、局所的に施術する構造も知られている。
【０００６】
しかし、このような構造では、特に施術したい部分のみに施術することは可能だが、広範囲にわたって施術したい場合に均一に皮膚に施術し効果を得ることは困難である。また、装置を手に持ちながら施術する必要があるため、手が疲れて施術し続けるのが困難である。
【先行技術文献】
【特許文献】
【０００７】
【特許文献１】特開２００３−３８６６０号公報
【特許文献２】特開平８−２６６３２８号公報
【発明の概要】
【発明が解決しようとする課題】
【０００８】
つまり、特許文献１に開示された構造であれば、薬液含浸シートは人の顔の形に完全に合う事が無く、効果が得られない部分が発生し、部分的に小型の装置で再度施術を行う必要がある。この施術は長時間使用すると皮膚のトラブルにつながる危険性もあり、想定時間（小型のイオン導入装置で、１０分程度と言われている。）施術したところを再びすることはできない。ゆえに顔全体を短時間（例えば５分）で済まし、接触していなかった部分に短時間（例えば５分）の部分施術を追加するか、想定時間の少し前に顔全体を止め、あと少しだけ部分施術を追加するかであり、いずれにしても十分な施術ができない。
【０００９】
また、別の装置部分を用いて部分施術をするという手間が必要となる。その部分施術を行う装置であるが、気になる部分だけ施術したくとも、顔は凸凹が激しいため、上手くできない。満足できるまで施術を行うと、かえって皮膚を傷つける可能性がある。
【００１０】
また、うつ伏せ等の楽な姿勢で施術を行えることが望ましいが、既存の装置は顔を支える構造を持たず、小型の装置も自分で持って支える必要がある。また、既存の構造では、電極導子を施術中は絶えず握る、もしくは手指にベルトなどで固定する等して保持する必要があり、施術中のストレスが高くなる。
【００１１】
また、薬液をできるだけ少なく使用したいという要求もある。
【００１２】
そこで、本発明の主たる目的は、施術対象箇所が凹凸を有する顔等であっても、薬液を含浸する部分を施術対象箇所の皮膚に確実に接触させることができ、これにより、イオン導入法による施術を施術対象箇所全体に短時間で効果的に行うことができ、さらには、局所のみへの部分施術も可能とする美容装置を提供することにある。
【００１３】
また、本発明の更なる目的の一つは、イオン導入法によるこのような効果的な施術を、楽な姿勢で、できるだけストレスなく、快適に行うことを可能とする美容装置を提供することにある。
【００１４】
さらに、本発明の別の更なる目的は、イオン導入法による効果的な施術を行うに際して、薬液の使用量を少量に抑えることのできる美容装置を提供することにある。
【課題を解決するための手段】
【００１５】
前述の主たる目的を達成するために、本発明の美容装置は、
イオン導入法により薬液の有効成分を施術対象箇所の皮膚の深部に浸透させるための美容装置において、
使用時に上記皮膚に接触して配置される少なくとも１つの施術部材を備え、
上記施術部材は、
第１の電極を有し、上記薬液に電流を流すための導電体と、
上記薬液を含浸するために上記導電体の第１の側に位置し、上記第１の電極に対応する部分を除く部分の少なくとも一部が発泡性の低反発素材からなる薬液含浸部と
を備えたことを特徴としている。
【００１６】
本発明によれば、薬液含浸部の少なくとも一部の部分（例えば、施術対象箇所における凹凸の有る箇所やその周辺部に対応する部分）を発泡性の低反発性の素材としたことにより、薬液含浸部は、薬液成分の保持に優れ、施術対象箇所が例えば顔のように凹凸を含んでいても、その形状に合わせて変形し、その変形が保持される。その結果、施術中、薬液含浸部を施術対象箇所全体に良好に密着させ続けることが可能となる。したがって、イオン導入法による施術を施術対象箇所全体に短時間で効果的に行うことができ、施術を再度行う必要性をなくすことが可能となる。
【００１７】
本発明では、勿論、薬液含浸部の上記第１の電極に対応する部分を除く部分の全てを発泡性の低反発性の素材としてもよい。この場合は、薬液含浸部の形状を極めて良好に施術対象箇所の形状に合わせることが可能となるため、イオン導入法による施術効果を一層高めることが可能となる。
【００１８】
本発明の一実施形態では、上記少なくとも１つの施術部材は、顔全体に施術を行うための第１の施術部材を含んでいる。
【００１９】
この実施形態では、第１の施術部材の薬液含浸部が低反発素材からなリ、この低反発素材が顔の形状に合わせて凹むために、薬液含浸部を顔に沿った形状とすることができる。そして、このように顔に沿った形状となることで、薬液含浸部は顔全体に良好に密着する。この結果、イオン導入法による１回の施術で、したがって、短時間（たとえば２分程度）で、顔全体に薬液を良好に浸透させることが可能となる。
【００２０】
本発明の一実施形態では、上記第１の施術部材における薬液含浸部は、上記発泡性の低反発素材が、少なくとも顔の凹凸部分またはその周辺に対応する箇所に、局所的に設けられている。ここで、顔の「凹凸部分またはその周辺」とは、例えば、鼻や頬、あるいは、顎周辺等である。
【００２１】
顔全体にイオン導入を行うとき、一番密着性が難しいのが凹凸の激しい部分で、ここに低反発素材を用いることで密着力が良くなり、イオン導入できない部分を除くことができる。この実施形態では、上記低反発素材を、一番密着させるのが困難な顔の凹凸部分またはその周辺に対応する箇所に局所的に設けているため、低反発素材の使用量をできるだけ抑えつつ、薬液含浸部の皮膚への高い密着効果を維持することが可能である。
【００２２】
また、凹凸部分だけでなく、顔でしわが気になるほうれい線や、額、目の周辺などに薄く低反発素材を設けてもよい。
【００２３】
本発明の一実施形態では、上記少なくとも１つの施術部材は、さらに、顔の一部分のみに施術を行うための１種類以上の第２の施術部材を含み、上記第１の施術部材と上記第２の施術部材とを代替的に使用可能としている。
【００２４】
この実施形態では、１種類以上の第２の施術部材を使用することで、気になる部分のみ重点的に施術を行うことができる。そして、第２の施術部材の薬液含浸部の低反発素材による高い密着性により、イオン導入法により薬液を良好に皮膚に浸透させることができる。なお、気になりやすい部分には、例えば鼻周辺の毛穴、口周り周辺のほうれい線、目周辺の小じわ、額や眉間のしわなどが挙げられる。
【００２５】
本発明の一実施形態では、上記第１の施術部材は、上記導電体の上記第１の側とは反対の第２の側に、剛性を有するカバー部を備えている。
【００２６】
この実施形態では、カバー部が剛性を備えていることにより、カバー部の外側から与えられた圧力を均質に薬液含浸部に伝えることが可能となる。したがって、少しの力で薬液含浸部を顔全体に接触させることができ、密着性ひいては顔全体の施術効果について、より確実性が増す。また、顔に部分的な強い圧力が伝わらないことで、快適な施術が可能となる。
【００２７】
また、前述のさらなる目的の一つを達成するため、本発明の一実施形態では、上記第１の施術部材は、上記カバー部の上記導電体とは反対側に、ある面に対して上記カバー部を支持する支持部を備えている。
【００２８】
この実施形態では、或る面（例えば、机の面）に対してカバー部が支持部によって支えられる。そして、このようにカバー部が支えられた状態で施術を行うと、うつ伏せ状態で施術を受けることが可能で、快適に施術を受けることが出来る。また、うつ伏せでの施術は、頭の自重で薬液含浸部を構成している低反発素材が圧縮され自然に顔の形状にフィットすることになるため、確実な施術が可能となる。
【００２９】
また、本発明の一実施形態では、上記支持部が設置される上記面に対する上記カバー部の角度が調整可能となるよう、上記支持部の高さが変更可能である。
【００３０】
この実施形態では、施術を行う場所に合わせたカバー部の角度設定が可能で、施術場所に合わせた角度での施術が可能となる。
【００３１】
つまり、上記カバー部の角度が一定で、調整可能となっていなければ、カバー部の角度に合わせて顔を乗せるような施術となり、カバー部の置き場所によっては、不自然な姿勢で施術を行うこととなる場合がある。上記実施形態では、カバー部をその置き場所に応じて所望の角度に変更することができるため、このような不都合はなく、無理のない姿勢での快適な施術が可能となる。
【００３２】
また、本発明の一実施形態では、上記第１の施術部材は、上記カバー部の上記導電体と反対側に、クッション性を有する部材を備えている。
【００３３】
この場合も、うつ伏せ状態での施術が行われる。その際、このクッション性を有する部材によりある程度の角度や凸凹を吸収し、楽に施術をすることができる。
【００３４】
上記クッション性を有する部材は、上記支持部材であってもよく、また、支持部材とは別の部材であってもよい。
【００３５】
また、本発明の一実施形態では、上記第１の施術部材は、顔に接触しない面に、上記第１の電極の対極の第２の電極を備えている。
【００３６】
通常、うつ伏せで寝るときなどは手を枕にしたり、枕の付近に手を持ってくるなど、手を顔の付近に持って来る事は違和感が無い。そこで、上記第１の施術部材の顔に接触しない面、たとえば、上記支持部あるいはクッション性を有する部材に第２の電極を備えることで、違和感のない姿勢で、負担無く、顔付近にある手で第２の電極に接触することができ、第２の電極を握ったり手指にベルトなどで固定する場合に比して、ストレスが緩和され、よりリラックスした状態での施術が可能となる。
【００３７】
また、上述の別のさらなる目的を達成するため、本発明の一実施形態では、上記薬液含浸部は、皮膚に近い側にあって吸水性がある低反発素材と、皮膚から遠い側にあって防水処理を施された低反発素材とを備えている。
【００３８】
この実施形態では、薬液含浸部をこのように２層構造とすることにより、吸水性がある低反発素材を薄いものとすることができる。したがって、薬液含浸部全体として吸収し得る薬液量が抑えられるため、薬液の使用量を必要最小限に抑えることができる。
【００３９】
また、本発明の一実施形態では、上記薬液含浸部は、皮膚に近い側にあって吸水性がある低反発素材と、皮膚から遠い側にあって防水処理を施された高反発素材とを備えている。この構成は、施術部材が剛性を有するカバー部とこれを支持する支持部またはクッション性を有する部材とを備えている実施形態に適用されれば好適なものである。
【００４０】
この実施形態では、前述の実施形態と同様に、薬液含浸部を２層構造とすることにより、吸水性がある低反発素材を薄いものとすることができる。したがって、薬液含浸部全体として吸収し得る薬液量が抑えられるため、薬液の使用量を必要最小限に抑えることができる。
【００４１】
また、低反発素材は凹凸のある顔への密着性が高いが、荷重の変化に対してゆっくりと変形・回復するため、うつ伏せで施術中に顔の位置が移動した際に対応が遅れる恐れがある。しかし、皮膚から遠い側に高反発素材があることにより、素材の反発性で早い対応が可能になる。したがって、特にうつ伏せで施術する場合に、顔が動いても、薬液含浸部を顔からずれにくくすることができる。
【発明の効果】
【００４２】
以上より明らかなように、本発明の美容装置は、施術部材における薬液含浸部の少なくとも一部の部分（例えば、施術対象箇所における凹凸の有る箇所やその周辺部に対応する部分）を発泡性の低反発性の素材としたことにより、薬液含浸部は、薬液成分の保持に優れ、施術対象箇所が例えば顔のように凹凸を含んでいても、その形状に合わせて変形し、その変形が保持される。その結果、施術中、薬液含浸部を施術対象箇所全体に確実に接触させ続けることが可能となる。したがって、イオン導入法による施術を施術対象箇所全体、例えば、顔全体、に短時間で効果的に行うことができ、施術を再度行う必要性をなくすことが可能となる。
【００４３】
また、本発明の美容装置は、顔全体を施術するための第１の施術部材の他、顔の一部分のみに接触し施術を行う第２の施術部材を備え、上記第１の施術部材と上記第２の施術部材とを代替的に使用可能としていることにより、気になる部分のみ重点的に局所的に施術を行うことができる。
【００４４】
また、本発明の美容装置は、顔全体を施術するための第１の施術部材が剛性を有するカバー部と、このカバー部を支持するための支持部やクッション性を有する部材とを備えたことにより、うつ伏せ状態での施術が可能となり、楽な姿勢で、快適な施術を実現できる。また、上記第１の施術部材が、顔に接触しない面に、第２の電極を備えたことにより、第２の電極を握ったり手指にベルトなどで固定する場合に比して、ストレスが緩和され、よりリラックスした状態での快適な施術が可能となる。
【００４５】
さらに、本発明の美容装置は、薬液含浸部を、皮膚に近い側にあって吸水性がある低反発素材と、皮膚から遠い側にあって防水処理を施された低反発素材との２層構造とすることにより、含ませる薬液を少なくすることが出来る。また、施術部材が剛性を有するカバー部とこれを支持する支持部またはクッション性を有する部材とを備えている場合には、皮膚から遠い側にあって防水処理を施された素材を、低反発素材に代えて、高反発素材とすることにより、含ませる薬液を少なくすることが出来る効果に加えて、特にうつ伏せで施術する場合に顔から薬液含浸部をずれにくくすることができる。
【図面の簡単な説明】
【００４６】
【図１】本発明の一実施形態における美容装置の基本構成を示す概略図である。
【図２】上記実施形態における美容装置の施術部材の主要部の概略図である。
【図３】図２に示す施術部材の一部を構成するカバー部の概略平面図である。
【図４】他の実施形態におけるカバー部の概略平面図である。
【図５】本発明の一実施形態における施術部材の一部を構成する薬液含浸部の一例を示す概略平面図である。
【図６】目の下付近を施術する局所用施術部材を接続した時の美容装置の動作例を示す説明図である。
【図７】鼻付近を施術する局所用施術部材を接続した時の美容装置の動作例を示す説明図である。
【図８】本発明の一実施形態に係る施術部材のカバー部と支持部（脚）を示す概略断面図である。
【図９】図８における支持部（脚）の長さが変更されることにより、カバー部の角度が変更された状態を示す図であり、（ａ）はカバー部の傾斜角度が大きい場合を、（ｂ）はカバー部の傾斜角度が小さい場合を示す。
【図１０】支持部（脚）の長さを変更する構造の一例を示す概略図である。
【図１１】カバー部にドーナツ状のクッションを備えた施術部材の概略平面図である。
【図１２】図１２の概略断面図である。
【図１３】内部にばねが組み込まれた支持部（脚）を示す図である。
【図１４】クッション性を備えた支持部（脚）の先端にクッションを備えた施術部材の一例を示す図である。
【図１５】カバー部に枕のようなクッションを備えた施術部材の概略平面図である。
【図１６】カバー部にクッションが取り付けられた施術部材の概略断面図であり、（ａ）はクッションが変形する前の状態を、（ｂ）はクッションが変形した状態を示す。
【図１７】第２の電極としての身体用電極をクッションに設けた施術部材を示す概略図であり、（ａ）は身体用電極を中空の枕状のクッションに設けた例を、（ｂ）は身体用電極をドーナツ状のクッションに設けた例を示す。
【図１８】本発明の美容装置の施術部材におけるカバー部と薬液含浸部とカバー部施術対象である顔との位置関係を示す概略端面図であり、（ａ）は薬液含浸部と顔との間に紙シートが有る場合、（ｂ）は薬液含浸部と顔との間に紙シートが無い場合を示す。
【図１９】本発明の美容装置の施術部材における２層構造の薬液含浸部とカバー部と施術対象である顔との位置関係を示す概略端面図であり、（ａ）はカバー部に支持部（脚）が設けられていない場合、（ｂ）はカバー部に支持部（脚）が設けられている場合を示す。
【発明を実施するための形態】
【００４７】
以下、この発明を図示の実施の形態により詳細に説明する。なお、図面及び以下の説明において、同一または類似の基本的機能を有する部分及び部材は、形状や材質の異同に拘わらず、共通の参照番号を使用することとする。
【００４８】
（第１の実施形態）
まず、本発明の美容装置の基本構成を図１に従って説明する。
【００４９】
本発明の美容装置は、操作つまみ等を備えた電気回路部１と、複数（図では２個のみを示しているが、これ以上であってもよい。）の第１の電極２を有し電気経路（ワイヤ）３を介して電気回路部１に接続される施術部材５と、上記第１の電極２とは対極の電極であって、別系統の電気経路（ワイヤ）３を介して電気回路部１に接続される第２の電極６を有する。この第２の電極６は、手指７で握り易い形状を有しており、以下、身体用電極６と言う。
【００５０】
電気回路部１は、微弱電流(数ｍA程度)を流す機能が備わっており、直流電流や交流電流、パルス電流などを流すことができる。また、電池などのバッテリー機能を備えており、交流電源から電源を取ることもできる。
【００５１】
施術部材５は、顔全体に施術を行うための第１の施術部材の一例であり、薬液に電流を流すための導電体５０と、導電体５０の施術対象箇所に近い側（第１の側）に位置し、薬液を含浸するための薬液含浸部５１と、導電体５０の施術対象箇所から遠い側（第２の側）にあって、施術対象箇所である顔全体を覆うカバー部５２（図３，４参照）を有する。そして、これら薬液含浸部５１、導電体５０、カバー部５２は相互に付着しており、それぞれ、目、鼻、口に対応する位置に開口部５３が設けられている。薬液含浸部５１はカバー部５２に付着している。なお、上記第１の電極２は導電体５０に形成されており、以下、導電体用電極２と言う。
【００５２】
上記薬液含浸部５１は、導電体用電極２に対応する部分を除く部分の少なくとも一部が発泡性の低反発素材からなるものである。図１に示す例では、導電体用電極２に対応する部分を除く部分全体が発泡性の低反発素材からなり、それに応じて、導電体５０も薬液含浸部５１の外周部を除く略全領域に設けられている。
【００５３】
顔に接触する部分に低反発素材を用いることで、低反発素材が顔の形状に合わせて変形するために、薬液含浸部５１を顔に沿った形状にすることができる。顔に沿った形状となることでイオン導入できない部分を無とすることが可能となるため、顔全体のイオン導入が１回の施術で可能となる。これに対して、薬液含浸部５１の材料が、通常のスポンジのように反発性があると、反発力によって、カバー部５２が全体で持ち上げられたり、一部が持ち上がったりする。また、鼻のように凹凸が激しい部分の一部にイオン導入できない部分などができる可能性が高い。本発明においては、このような問題を回避することが可能となる。また、イオン導入時間について、通常小型の美容装置で施術を行う時間が１０分程度と言われているが、小型の美容装置は部分的なイオン導入を顔全体に行うもので、本発明のように顔全体にイオン導入を行う場合は２分程度での施術も可能である。
【００５４】
薬液含浸部５１を構成している低反発素材は発泡性素材の形態をしている場合が多い。例えば、軟質ウレタンフォーム(参考文献１)、スチレン系エラストマーの架橋発泡体(参考文献２)、低反発弾性フォームと呼ばれ、一般的なウレタンフォームと同様に、ポリオールとポリイソシアネ―トを主成分として発泡剤、整泡剤、触媒等を撹拌混合して発泡する材料(参考文献３)が望ましい。いずれの材質もやわらかで感触が良く、伸縮性に優れ、伸びても破れにくく、通気性とクッション性を兼ねそろえ、柔軟性に優れている素材であるため、本発明の薬液含浸部５１に適している。このような素材は低反発を特長としており、一度顔形状に押し付けると、電極部分２を含む導電体５０やカバー部５２の自重により、同じ形状を保つことができる。
【参考文献１】
【００５５】
"低反発ウレタンフォーム  ＵＢＺＯ"  富士ゴム産業株式会社、[online]、[２０１１年９月６日検索]、インターネット＜URL:http://www.fujigomu.co.jp/simulation/items/u601ea.php＞
【参考文献２】
【００５６】
"低反発軟質発泡体ピタフォーム１５"  ゴム通信、[online]、[２０１１年９月６日検索]、インターネット＜URL:http://gomu.jp/item/10705＞
【参考文献３】
【００５７】
"低反発弾性フォームとは"  ブリジストン化成品株式会社、[online]、[２０１１年９月６日検索]、インターネット＜URL:http://www.bridgestone-dcp.co.jp/qa02.html＞
【００５８】
薬液含浸部５１は、特別に薬液含浸シートを設けなくても、顔に接触する部分に薬液を含ませることができる。
【００５９】
導電体５０は薬液含浸部１の顔に接触する部分に設けられていても良いが、カバー部５２に設けておいて、薬液含浸部１に浸透した美容液に接触するようにしておいても良い。カバー部５２のどの部分でも良いが、導電体５０を確実に美容液に接触させるためには、薬液含浸部１を構成している低反発素材が薄い部分が望ましい。例えば、図１に示すように、頬に対応する位置にある低反発素材部分である。
【００６０】
顔と導電体用電極２が接触する部分は、含浸性の高く電流の流れやすい材質（例えば不織布や綿など）が望ましく、導電体５０は電気伝導率が高く、含浸させる薬液の変質を起こさない材質(例えばチタン・白金・カーボン等)が望ましい。
【００６１】
上記カバー部５２は絶縁素材で形成されており吸水性は無い。ゆえに、薬液含浸部５１で吸水された薬液は、薬液含浸部５１が付着しているカバー部５２の反対面には染み出さない。このようなカバー部５２にはたとえばシリコンゴムなどのゴム素材などが利用可能である。また、厚みは必ずしも薄いシート状である必要はなく、ある程度の厚みがある方が低反発素材を押しつけて低反発素材の形状を保つのに良い。
【００６２】
上記施術部材５を構成する薬液含浸部５１、導電体５０、カバー部５２をより顔の構造に近い形状に合わせるために、図２，３に示すように、これらの部分に、切り込み５４を入れてもよい。
【００６３】
上記構成の美容装置を使用する際には、導電体用電極２を電気経路３を介して電気回路部１に接続するとともに、身体用電極６を電気回路部１に接続し、使用者（被施術者）本人の手指７を身体用電極６に固定する。固定方法としては、ベルトなどで固定しても良いし、図１のように使用者本人が握っていても良い。図１において、手指７から延びている波線は身体を流れている回路を想定しており、上述のように接続すれば、使用者の体を抵抗体と考えた時に一つの回路が成立する。また、美容液を効率よく浸透させる電流の流し方は色々と考えられているが、人それぞれに合う方法があり、一概にどの方法が良いなどは言えない。一例として、身体用電極６にプラスの電荷がかかっていれば導電体５０にはマイナスの電荷がかかっている。仮に今、身体用電極６にプラスの電荷がかかっていたとしたときに、顔付近をマクロな視点で見てみる。顔は、身体用電極６からのプラスの電荷を帯びている。一方、紙シートに含まれた美容液は、導電体５０からのマイナスの電荷を帯びている。この双極の電荷がお互い引き合って美容液が皮膚に深く浸透していく。
【００６４】
上記構成の美容装置は、顔全体にイオン導入を行うことができ、非常に便利である。図１に示した美容装置は、薬液含浸部５１の、導電体用電極２を除く部分全てを発泡性の低反発性の素材としたことにより、薬液含浸部５１は、薬液成分の保持に優れ、施術対象箇所である凹凸部分の多い顔の形状に合わせて変形し、その変形が保持される。その結果、顔の施術中、薬液含浸部５１を顔全体に良好に密着させ続けることが可能となる。したがって、イオン導入法による１回の施術を行うだけで、顔全体に薬液を良好に浸透させることが可能となる。つまり、イオン導入法による施術を顔全体に短時間（たとえば２分程度）で効果的に行うことができ、施術を再度行う必要性をなくすことが可能となる。したがって、顔の皮膚のトラブルの発生を回避することが可能となる。
【００６５】
（第２の実施形態）
第１の実施形態では、施術部材５の薬液含浸部５１は、導電体用電極２を除く全領域に低反発素材を備えており、顔全体の形状に合わせて形が作られるようになっている。これに対して、第２の実施形態では、できるだけこの低反発素材を用いる量を減らすために、顔の中での凹凸が大きな鼻や頬、顎周辺に対応する箇所（局部）５１１に局所的に低反発素材を用いている。
【００６６】
顔全体にイオン導入を行うとき、一番密着性が難しいのが凹凸の激しい部分で、ここに低反発素材を用いることで密着力が良くなりイオン導入できない部分を除くことができる。この第２の実施形態では、上記薬液含浸部５１における低反発素材を、一番密着させるのが困難な顔の凹凸部分またはその周辺に対応する箇所５１１に局所的に設けているため、低反発素材の使用量をできるだけ抑えつつ、薬液含浸部の皮膚への高い密着効果を維持することが可能である。
【００６７】
また、凹凸部分だけでなく、顔でしわが気になるほうれい線や、額、目の周辺などに対応する箇所５１１にも薄く低反発素材を設けている。
【００６８】
第２の実施形態においては、薬液含浸部５１の材料として、低反発素材と反発性のスポンジなどを組み合わせることができる。反発性素材は反発力でカバー部５２を持ち上げるなどのおそれがあるが、使用する量を少なくしてやれば、反発力よりもカバー部５２の重さなどのために、変形したままの状態を保つことができる。
【００６９】
（第３の実施形態）
第３の実施形態に係る美容装置は、第１の実施形態に係る美容装置における顔全体を施術するための第１の施術部材としての施術部材５（図１〜３参照）に加えて、顔の一部分のみに接触し施術を行う第２の施術部材としての局所用施術部材を1種類以上備え、顔全体に施術を行う施術部材５とつなぎ換えて使用する事を特長とする美容装置である。ここでは、前述した施術部材５についての説明は省略する。
【００７０】
この美容装置は顔の一部を施術するものであるが、特許文献２に開示されたような従来の小型美容装置とは異なる。従来の小型美容装置は顔の形状に合わせて美容装置を動かし、施術するもので施術面もほぼ平らな面となっている。このような施術は美容装置を動かすのが大変であるのと、顔の凹凸の細かい部分に施術面を合わせ、確実に施術をするのは難しい。これに対して、第３の実施形態に係る美容装置は、気になりやすい部分の周辺に施術を行うもので、例えば鼻周辺の毛穴、口周り周辺のほうれい線、目周辺の小じわ、額や眉間のしわなどそれぞれに施術を行うことができる。
【００７１】
図６と図７はそれぞれ、目の下付近や鼻付近を施術する局所用施術部材５ａを接続した時の美容装置の動作例を示している。
【００７２】
局所用施術部材５ａの構成は、基本的に、図１に示す施術部材５の構成と同じであり、薬液含浸部５１と、１以上の導電体用電極２を含む導電体５０と、カバー部５２（図６，７には示さず。）とを備えている。これらの部分についての詳細な説明は、上記第１の実施形態における説明を適宜適用するものとし、ここでは省略する。
【００７３】
局所用施術部材５ａは、施術部材５とは別体の部品として備えていてもよいし、施術部材５を分割可能に構成し、分割された部分を局所用施術部材５ａとして使用してもよい。
【００７４】
各局所用施術部材５ａにおいて、図６，７からは明らかではないが、薬液含浸部５１の寸法は、カバー部５２よりも少し大きくて、薬液含浸部５１の外周部がカバー部５２のエッジから僅かにはみ出すようになっている。これにより、局所用施術部材５ａを接続したときに、薬液含浸部５１に隙間が生じないような構造となっている。
【００７５】
施術部材５が分割可能な場合は、電気回路部１に接続された電気経路３の端末をそれぞれの局所用施術部材５ａの導電体５０に接続することで美容装置を構成する。局所用施術部材５ａの部品を別途備えている場合は、電気回路部１に接続された電気経路３の端末をそれぞれの局所用施術部材５ａの導電体５０に接続してもいいし、局所用施術部材５ａの導電体５０に接続された電気経路３の端末を電気回路部１につなぎ変えても良い。
【００７６】
この第３の実施形態においては、局所用施術部材５ａを備えることで、気になる部分だけを施術したいときに、気になる部分を確実に施術する事が可能となる。
【００７７】
ここで、図５は上記第２の実施形態に関して薬液含浸部５１の低反発部材が設けられることが実際に必要と思われる局部５１１を示したものであるが、便宜上この図を借用して説明すると、この第３の実施形態では、これら局部５１１のみを施術するための複数種類の局所用施術部材５ａが用意される。したがって、これらの局所用施術部材５ａを用いることで、図５に示すような気になる部分だけに集中した施術が可能である。施術方法は各部分のみ施術したり、複数個所を同時に施術することも可能である。複数個所行うときは、局部５１１それぞれに電気経路３が接続できるようになっている。また、電気回路部１も複数の電気経路３を接続可能な構造である。
【００７８】
（第４の実施形態）
第４の実施形態は、上記第１〜第３の実施形態とは、上記第１〜３の実施形態の施術部材５のカバー部５２がシリコンゴム等の軟質材料からなるのに対して、第４の実施形態ではカバー部５２が樹脂などの固い素材で構成されて剛性を有する点において、異なるものである。以下、軟質のカバー部５２と区別をつけるために、第４の実施形態における硬質の（つまり、剛性を有する）カバー部５２を、便宜上、樹脂カバー５２と称する。但し、この名称は、硬質のカバー部５２の材料を限定するものではない。他の構成は、第１の実施形態または第３の実施形態と基本的に同じであるので、説明を省略する。
【００７９】
このようにカバー部５２が硬質な樹脂カバー５２で構成されることで、樹脂カバー５２の薬液含浸部５１が備わっていない側、いわゆる外側から与えられた圧力を均質に薬液含浸部５１に伝えることが可能となる。したがって、少しの力で薬液含浸部を顔全体に接触させることができ、密着性ひいては顔全体の施術効果について、より確実性が増す。これに対して、カバー部５２が軟質なものであれば、いわゆる外側から与えられた圧力は部分的に伝わる。例えば、指１本で押さえると、その押した部分もしくはその周辺だけに圧力は伝わり、遠ざかるほど圧力は伝わらない。ところが、樹脂カバー５２の場合、指１本で圧力を伝えると全体に均質に圧力を伝えることができる。実際には指１本であればバランスを取ることが難しいため、複数個所から圧力を与える事が望ましい。このように、均質な圧力が与えられるだけでなく、顔に部分的な強い圧力が伝わらないことで、快適な施術が可能となる。この樹脂カバー５２は例えば、ABS（アクリロニトリル・ブタジエン・スチレン）、PS（ポリスチレン）、PP（ポリプロピレン）など、剛性・強度・加工性に優れたものが望ましい。また、樹脂と金属の積層板のように樹脂に金属を挟み込んだ素材や、金属の片側にシートをラミネートしたものであってもよく、塗装などのように片側に絶縁処理がされていれば金属素材を用いても問題ない。片側が金属であれば導電体５０の役割を金属部分で担うことができる。
【００８０】
図４は第４の実施形態の樹脂カバー５２の概略図で、図２に示す軟質のカバー部５２には顔の形状に合わせるために切り込みが必要であったが、この樹脂カバー５２は樹脂カバー５２自体がお面のように立体的な作りをしているために切り込み等は必ずしも必要ではない。
【００８１】
（第５の実施形態）
第５の実施形態に係る美容装置の要部を図８に示す。この第５の実施形態は、上記第４の実施形態の美容装置において、樹脂カバー５２の薬液含浸部５１が備わっていない側、いわゆる外側に、樹脂カバー５２を支える支持部としての脚５６を設けたことを特長とする。以下、第４の実施形態と異なる構成を重点的に説明する。
【００８２】
この脚５６は樹脂カバー５２を支えることを目的に備えているのであって、樹脂カバー５２の外側にテーブルの脚のように４ヶ所以上設けても良いし、ドーナツ状の脚であっても良い。また、脚５６は樹脂カバー５２に一体に接続されていても良いし、取り外し可能であってもよい。
【００８３】
このように脚５６を設けることで、樹脂カバー５２を支えることが可能となる。このように支えられた状態で施術を行うと、机などの面上にうつ伏せ状態で施術を受けることが可能で、快適に施術を受けることが出来る。また、うつ伏せの施術は、頭の自重で薬液含浸部５１を構成している低反発素材が圧縮され自然に顔の形状にフィットするため、確実な施術が可能となる。
【００８４】
なお、樹脂カバー５２は通常、立体形状を有するが、図８の概略断面図（ハッチング省略）では、簡略化するために平板１枚で図示している。
【００８５】
（第６の実施形態）
第６の実施形態は、上記第５の実施形態に係る美容装置において、脚５６の長さ（高さ）を変更可能つまり伸縮可能とし、もって、設置面に対する樹脂カバー５２の角度が任意の角度に調整可能となるようにしたものである。
【００８６】
図９は第６の実施形態に係る美容装置の要部（図８に示した部分に対応する部分）の概略断面図（ハッチング省略）で、同図(a)(ｂ)に示すように、脚５６の一方の側の長さを変更して、設置面に対する樹脂カバー５２の角度を自由に変更することができる。
【００８７】
このように樹脂カバー５２の角度が任意の角度に変更できるため、使用者にとって快適な設定角度でうつ伏せに施術することが可能となる。これに対して、脚５６の長さを伸縮可能とできない場合は、樹脂カバー５２の置き場所に拘わらず、樹脂カバー５２の角度に合わせて顔をのせるような施術となり、不自然な姿勢で施術を行うこととなる場合がある。
【００８８】
図１０は脚５６の長さを変更する構造の一例を示す。この例においては、脚５６は、複数のピン挿入口Ｃを等間隔に有する下部Ａと、この下部を移動可能に収納する筒状の上部Ｂとを備え、ピンＤを差す位置によって長さを変更することができる。
【００８９】
脚５６の長さを変更する構造は色々あり、どのような構造であってもよい。
【００９０】
（第７の実施形態）
第７の実施形態に係る美容装置は、上記第５の実施形態に係る美容装置（施術部材５が樹脂カバー５２を備えたもの）において、上記樹脂カバー５２の導電体５０とは反対側に、クッション性を有する部材を備えたものである。以下、図１１〜図１６を参照して、上記第５の実施形態と異なる点を重点的に説明する。
【００９１】
図１１は、クッション性を有する部材として、樹脂カバー５２の外側（顔と反対側）面の外周部に取り付けられた中空または中実のドーナツ状のクッション５７を示している。図１２はその概略断面図である。
【００９２】
図１３は、樹脂カバー５２を支持するための脚５６（第５，６の実施形態参照）がクッション性を備えたものの一例を示している。この脚５６はバネを内蔵しており、脚５６自体が上下左右にある程度動くことができる。このようなバネに代えて、脚５６をゴムなどで構成することで、脚５６自体にクッション性を持たせることもできる。脚５６にクッション性があるため、土台の小さな凸凹を吸収する事ができ、脚５６のガタつき防止となる。
【００９３】
ある程度の角度の調整も可能となる樹脂カバー５２に脚５６を設けた構造は、樹脂カバー５２に顔を載せた状態でうつ伏せに施術を行う。非常に楽な施術を行う事ができるが、うつ伏せであることで、敏感な顔に振動や凹凸によるガタつきを感じやすく、不快感を覚える。本実施形態のように脚５６にクッション性を備え、使用者が施術し易い状態を保ち、土台（設置面）の凹凸に影響されないことで、より快適な施術が可能となる。
【００９４】
図１４は、脚５６自体がクッション性を有し、その脚５６の先端にクッション５７をさらに備えたものを示している。具体的には、脚５６は、蛇腹構造を備えており、ある程度自由に上下左右の調整が可能となる。この構成は、クッション性がある脚５６で顔の角度などを調整でき、クッション５７で土台の凹凸を吸収することができる。
【００９５】
また、図１５に示すように、施術部材５は樹脂カバー５２の外側に、枕のようなクッション５７を備えていても良い。ただし、この場合には、クッション５７の一部に穴を設けるなど、呼吸が可能なように構成されている。
【００９６】
図１６は、枕状のクッション５７もしくは例えばゴム素材を円筒状にしたクッション５７の断面図で、中空状のクッション５７の中に手を入れられたりする。また、クッション５７により、施術を好みの角度ですることができる。
【００９７】
（第８の実施形態）
第８の実施形態は、樹脂カバー５２の角度を変更可能とした第６または第７の実施形態において、上記第１の施術部材である顔全体用の施術部材５が、顔に接触しない面に、身体用電極６を備えたものである。
【００９８】
第６または第７の実施形態では、図１に示す第１の実施形態と同様、身体用電極６を手指７で握ったり、その手指７にベルトなどで身体用電極６を固定するようにするものである。このような身体用電極６の固定方法では、施術中、身体用電極６をずっと握り続けるか、ベルトの違和感があり、これが、ストレスとなり得る。通常、うつ伏せで寝るときなどは手を枕にしたり、枕の付近に手を持ってくるなど、手を顔の付近に持って来る事は違和感が無い。そこで、この第８の実施形態では、うつ伏せに施術するものの脚５６やクッション５７などに身体用電極６を備えることで、顔付近にある手で身体用電極６に接触することができるようにしている。図を説明しながら使用形態の説明を行う。
【００９９】
図１７（ａ）は中空の枕状のクッション５７を備えた施術部材５の要部の概略断面図で、クッション５７内に手を中に入れられるようになっている。クッション５７は、その手を置く付近に身体用電極６を備えるので、そこに手を置いておくだけで身体用電極６と接触することができる。また、図１７（ｂ）はドーナツ状のクッション５７を備えた施術部材５の要部の概略断面図で、クッション５７の一部に身体用電極６を備えている。クッション５７が柔らかければそのままでも良いが、少し固ければ身体用電極６を備えている部分は手指７や手首が入るように窪ませばよい。この身体用電極６の部分に手指７や手首を差し込むことで、身体用電極６と接触できる。
【０１００】
このように、この第８の実施形態では、違和感のない姿勢で、負担無く身体用電極６との接触が可能となり、ストレスなく、よりリラックスした状態での施術が可能となる。
【０１０１】
（第９の実施形態）
図１８，１９は本発明の施術部材５，５ａにおける薬液含浸部５１とカバー部５２の位置関係の具体例を示す断面図である。
【０１０２】
図１８（ａ）に示す例では、本発明の美容装置より詳しくは施術部材５，５ａの基台となるカバー部５２があり、その上に薬液含浸部５１、紙シートＳが取り付けられている。薬液含浸部５１は低反発素材であり、顔に密着させるときに濡れた低反発素材を顔に押しつけると、導電体５０から水分を介して皮膚に薬液を浸透させるようになっている。したがって、カバー部５２が導電性を有していると、カバー部５２に手を押しつけたとき、回路がショートカットして顔に薬液が浸透しないため、このような事態を防止するために、カバー部５２は絶縁性が必要となる。基本はこのカバー部５２に導電体５０を備えている。絶縁性のカバー部５２がある上で、薬液含浸部５１の顔に近い部分に導電体を備え、紙シートＳがあると薬液が少なくて済むという利点がある。
【０１０３】
図１８（ｂ）のように紙シートＳはなくても良く、その場合は低反発素材の薬液含浸部５１に美容液を直接含ませて顔に密着させる。
【０１０４】
図１９（ａ）のように、低反発素材で構成されている薬液含浸部５１を２層構造とし、カバー部５２に近い側の低反発素材５１ａには防水処理を行い、顔に近い側の低反発素材５１ｂに吸水性の高い素材を薄く備えることにより、紙シートＳがなくても含ませる薬液を少なくすることができる。防水処理は例えば、防水塗料もしくは撥水塗料でコーティング処理をしたり、ビニールなど水を通さない材料を被せたりすることが考えられる。吸水性の高い素材としては、例えば、高吸水ウレタン樹脂などを使用するのが望ましい。
【０１０５】
図８〜１７に示すように、施術部材５が樹脂カバー５２を支持する脚（支持部）５６やクッション５７を備え、うつ伏せで施術可能な美容装置においては、図１９（ｂ）に示すように、薬液含浸部５１が、カバー部５２に近い側に防水処理を行った高反発素材５１ｃを備え、顔に近い側には吸水性の高い低反発素材５１ｂを備えることにより、特にうつ伏せで施術する場合に、顔から施術部材がずれにくい。高反発素材としては、例えば、発泡性のゴム素材など反発性があっても軟らかい感触のものや、高密度ウレタンなど、高反発・高弾性・硬めのウレタンスポンジでもよく、低反発でない軟質ウレタン・普通のウレタンスポンジでもよい。
【０１０６】
顔に近い側には吸水性の高い低反発素材５１ｂを備えることで、顔の凹凸に関係なく顔全体に密着する。但し、うつ伏せで施術を行うとき、若干体や顔を動かしてしまうことがある。低反発素材は凹凸のある顔に密着性が高いが、荷重の変化に対してゆっくりと変形・回復するため、うつ伏せで施術中に顔の位置が移動した際に対応が遅れる恐れがある。しかし、カバー部５２に近い側に防水処理を行った高反発素材５１ｃを備えることにより、高反発素材５１ｃの弾力性が高いため、顔がずれた時の動きに対し、素材の反発性で早い対応が可能になる。
【０１０７】
また、うつ伏せで施術する場合においては、顔の自重で自然と薬液含浸部側へ押しつけていく状態になるため、吸水性の高い素材５１ｂに高反発性の材料を使用してもかまわない。
【０１０８】
以上説明した仕様により、本発明の課題を解決できる美容装置を実現できる。
【０１０９】
上述の種々の実施形態は、限定的なものでなく、形状、材料等を種々変更できるものである。また、上述の種々の実施形態は、顔を施術対象とするものであったが、本発明の美容装置は、顔以外、例えば、手の甲や、脚、足などにも使用して美容効果を得ることができる。
【符号の説明】
【０１１０】
１  電気回路部
２  導電体用電極
３  電気経路
５  施術部材
５ａ  局所用施術部材
５０  導電体
５１  薬液含浸部
５１１  局部
５１ａ  薬液含浸部５１の、カバー部に近い側(低反発素材)
５１ｂ  薬液含浸部５１の、顔に近い側
５１ｃ  薬液含浸部５１の、カバー部に近い側(高反発素材)
５２  カバー部
５３  開口部
５４  切り込み
５６  脚
５７  クッション
６  身体用電極
７  手指
Ａ  脚５６の下部
Ｂ  脚５６の上部
Ｃ  下部Ａのピン挿入口
Ｄ  ピン
Ｓ  紙シート
【図３】
2013081606.tif 000003
【図４】
2013081606.tif 000004
【図５】
2013081606.tif 000005
【図８】
2013081606.tif 000006
【図９】
2013081606.tif 000007
【図１０】
2013081606.tif 000008
【図１１】
2013081606.tif 000009
【図１２】
2013081606.tif 000010
【図１３】
2013081606.tif 000011
【図１４】
2013081606.tif 000012
【図１６】
2013081606.tif 000013
【図１７】
2013081606.tif 000014
【図１８】
2013081606.tif 000015
【図１９】
2013081606.tif 000016
【図１】
2013081606.tif 000017
【図２】
2013081606.tif 000018
【図６】
2013081606.tif 000019
【図７】
2013081606.tif 000020
【図１５】
2013081606.tif 000021